(57)【要約】  本発明の空気清浄機は、清掃装置（３０）を備え、清掃装置（３０）が、シャフト（４１）上にシート状のフィルタ（６）が巻回された供給ロール（４０）と、フィルタ（６）を巻き取る巻取ロール（５０）と、巻取ロール（５０）を回転駆動する駆動モータ（１００）と、供給ロール（４０）を巻取ロール（５０）による巻取方向の逆方向に付勢する付勢部（７０）と、供給ロール（４０）の回転量を検知する回転量検知部（１１０）とを有し、回転量検知部（１１０）の検知結果に基づいて駆動モータ（１００）を駆動制御する。
2018179469.tif 000002
【特許請求の範囲】
【請求項１】
吸込口及び吹出口を開口する筐体と、前記吸込口と前記吹出口とを連結する空気通路と、前記空気通路内に配される送風機と、前記吸込口に面して配されるフィルタと、前記フィルタを清掃する清掃装置とを備えた空気清浄機において、
前記清掃装置が、シャフト上にシート状の前記フィルタが巻回された供給ロールと、前記フィルタを巻き取る巻取ロールと、前記巻取ロールを回転駆動する駆動モータと、前記供給ロールを前記巻取ロールによる巻取方向の逆方向に付勢する付勢部と、前記供給ロールの回転量を検知する回転量検知部とを有し、前記回転量検知部の検知結果に基づいて前記駆動モータの駆動制御を行うことを特徴とする空気清浄機。
【請求項２】
前記吹出口を開口する本体部と、前記吸込口を開口して前記本体部に着脱可能に配されるとともに前記供給ロールを保持するカバー部とを備え、前記回転量検知部が前記本体部に配される発光部及び受光部を有するとともに、前記供給ロールの回転に応じて前記発光部と前記受光部との間の通光状態と遮光状態とが切り替えられることを特徴とする請求項１に記載の空気清浄機。
【請求項３】
前記シャフトの軸方向の端部の周面に形成されるカム面と、前記カム面上を摺動して前記シャフトの径方向に変位するレバー部材とを設け、前記レバー部材が前記発光部と前記受光部との間に配されて前記遮光状態を形成し、前記発光部と前記受光部との間から退避して前記通光状態を形成することを特徴とする請求項２に記載の空気清浄機。
【請求項４】
前記レバー部材が前記本体部の内部で傾斜可能に支持される薄状部材から成り、前記レバー部材が挿通されるスリットを前記本体部に設けたことを特徴とする請求項２または請求項３に記載の空気清浄機。
【請求項５】
前記本体部に開口する窓部を介して前記発光部及び前記受光部が前記シャフトの軸方向の端部に面し、前記発光部の出射光を反射する反射部を前記シャフトの周面に設けたことを特徴とする請求項２に記載の空気清浄機。
【請求項６】
前記巻取ロールを回転駆動して所定時間内に前記供給ロールが所定の回転量に到達しない場合にエラー報知を行うことを特徴とする請求項１〜請求項５のいずれかに記載の空気清浄機。
【請求項７】
吸込口及び吹出口を開口する筐体と、前記吸込口と前記吹出口とを連結する空気通路と、前記空気通路内に配される送風機と、前記吸込口に面して配されるフィルタと、前記フィルタを清掃する清掃装置とを備えた空気清浄機において、
前記清掃装置が、第１シャフト上にシート状の前記フィルタが巻回された供給ロールと、第２シャフト上に前記フィルタを巻き取る巻取ロールと、前記供給ロールの一端に嵌合して前記供給ロールを回転可能に支持する第１支持部材と、前記供給ロールの他端に連結して前記供給ロールを回転させる第１回転駆動部と、前記巻取ロールの一端に嵌合して前記巻取ロールを回転可能に支持する第２支持部材と、前記巻取ロールの他端に連結して前記巻取ロールを回転させる第２回転駆動部と、前記第１シャフトの両端及び前記第２シャフトの両端に被嵌される複数のキャップ部材とを有し、
前記キャップ部材が前記第１支持部材及び前記第２支持部材に嵌合可能な嵌合部と、前記第１回転駆動部側及び前記第２回転駆動部側に連結可能な連結部とを有することを特徴とする空気清浄機。
【請求項８】
前記第１支持部材及び前記第２支持部材が同径の嵌合孔を有して前記キャップ部材の外周面により前記嵌合部が形成されるとともに、前記キャップ部材の軸方向の端面上に開口する係合孔により前記連結部を形成して前記第１回転駆動部側及び前記第２回転駆動部側から延びる軸部が前記係合孔に係合することを特徴とする請求項７に記載の空気清浄機。
【発明の詳細な説明】
【技術分野】
【０００１】
本発明は、フィルタを清掃する清掃装置を備えた空気清浄機に関する。
【背景技術】
【０００２】
特許文献１には従来の空気清浄機が開示されている。この空気清浄機は吸込口及び吹出口を開口する筐体を有する。筐体内には吸込口と吹出口とを連結する空気通路が設けられ、空気通路内には送風機が配される。吸込口に面してプレフィルタ（フィルタ）が配される。【０００３】
上記構成の空気清浄機において、運転が開始されると、送風機が駆動されて吸込口から居室内の空気が吸い込まれる。吸込口から吸い込まれた空気はプレフィルタにより塵埃が捕集された後に吹出口から送出される。これにより、居室内の空気清浄を行うことができる。【０００４】
近年、プレフィルタを清掃する清掃装置を備えた空気清浄機の要望が高くなっている。特許文献２には、プロジェクターの吸気口に面して配されるフィルタを清掃する清掃装置が開示されている。この清掃装置は、供給ロール、巻取ロール、ブラシ体、供給ロール用モータ、巻取ロール用モータ、ブラシ体用モータ及び集塵容器を備える。【０００５】
供給ロールにはシート状のフィルタが巻回されている。巻取ロールはシャフトの両端にキャップ部材が被嵌され、シャフトの一端は支持部により回転可能に支持されている。また、シャフトの他端は巻取ロール用モータに連結されている。これにより、巻取ロールは巻取ロール用モータの駆動により回転し、供給ロールから引き出されたフィルタを巻き取る。【０００６】
ブラシ体はシャフト上にブラシ毛を放射状に形成し、巻取ロールの回転時にブラシ体用モータの駆動により回転してブラシ毛がフィルタを擦って塵埃を除去する。集塵容器はブラシ体によってフィルタ上から除去された塵埃を集塵する。供給ロールは供給ロール用モータにより回転駆動され、巻取ロールに巻き取られたフィルタを巻き戻す。これにより、フィルタ上の塵埃が除去され、フィルタが清掃される。【０００７】
また、特許文献２の清掃装置は検知スイッチを有する。検知スイッチは巻取ロールの近傍に配置され、巻取ロールに巻き取られたフィルタが所定の外径になったか否かを検知する。検知スイッチにより巻取ロールに巻き取られたフィルタが所定の外径になったことが検知されると、供給ロール用モータが駆動される。これにより、巻取ロールに巻き取られたフィルタが供給ロールへ巻き戻される。
【先行技術文献】
【特許文献】
【０００８】
【特許文献１】特開２００９−６６４６６号公報（第８頁、第９頁、第１図）
【特許文献２】特許第５６２７０６６号公報（第６頁、第７頁、第１図、第４図）
【発明の概要】
【発明が解決しようとする課題】
【０００９】
しかしながら、上記特許文献２の清掃装置によると、フィルタがシート状のため巻取ロールに巻き取られたフィルタの巻取量に対して外径にばらつきが生じる。このため、検知スイッチが巻取ロールの巻き取り終了のタイミング及び供給ロールへの巻き戻し終了のタイミングを正確に検知できず、フィルタの清掃が不十分になる問題があった。【００１０】
また、上記特許文献２の清掃装置によると、キャップ材を取り違えてシャフトの端部に挿嵌することがあり、組立作業性が低下する問題があった。【００１１】
本発明は、フィルタを十分に清掃できる空気清浄機を提供することを目的とする。【００１２】
また、本発明は、組立作業性を向上させた空気清浄機を提供することを目的とする。
【課題を解決するための手段】
【００１３】
上記目的を達成するために本発明は、吸込口及び吹出口を開口する筐体と、前記吸込口と前記吹出口とを連結する空気通路と、前記空気通路内に配される送風機と、前記吸込口に面して配されるフィルタと、前記フィルタを清掃する清掃装置とを備えた空気清浄機において、前記清掃装置が、シャフト上にシート状の前記フィルタが巻回された供給ロールと、前記フィルタを巻き取る巻取ロールと、前記巻取ロールを回転駆動する駆動モータと、前記供給ロールを前記巻取ロールによる巻取方向の逆方向に付勢する付勢部と、前記供給ロールの回転量を検知する回転量検知部とを有し、前記回転量検知部の検知結果に基づいて前記駆動モータの駆動制御を行うことを特徴としている。【００１４】
また本発明は、上記構成の空気清浄機において、前記吹出口を開口する本体部と、前記吸込口を開口して前記本体部に着脱可能に配されるとともに前記供給ロールを保持するカバー部とを備え、前記回転量検知部が前記本体部に配される発光部及び受光部を有するとともに、前記供給ロールの回転に応じて前記発光部と前記受光部との間の通光状態と遮光状態とが切り替えられると好ましい。【００１５】
また本発明は、上記構成の空気清浄機において、前記シャフトの軸方向の端部の周面に形成されるカム面と、前記カム面上を摺動して前記シャフトの径方向に変位するレバー部材とを設け、前記レバー部材が前記発光部と前記受光部との間に配されて前記遮光状態を形成し、前記発光部と前記受光部との間から退避して前記通光状態を形成すると好ましい。【００１６】
また本発明は、上記構成の空気清浄機において、前記レバー部材が前記本体部の内部で傾斜可能に支持される薄状部材から成り、前記レバー部材が挿通されるスリットを前記本体部に設けると好ましい。【００１７】
また本発明は、上記構成の空気清浄機において、前記本体部に開口する窓部を介して前記発光部及び前記受光部が前記シャフトの軸方向の端部に面し、前記発光部の出射光を反射する反射部を前記シャフトの周面に設けると好ましい。【００１８】
また本発明は、上記構成の空気清浄機において、前記窓部が透明部材により覆われることが好ましい。【００１９】
また本発明は、上記構成の空気清浄機において、前記巻取ロールを回転駆動して所定時間内に前記供給ロールが所定の回転量に到達しない場合にエラー報知を行うと好ましい。【００２０】
また、上記目的を達成するために本発明は、吸込口及び吹出口を開口する筐体と、前記吸込口と前記吹出口とを連結する空気通路と、前記空気通路内に配される送風機と、前記吸込口に面して配されるフィルタと、前記フィルタを清掃する清掃装置とを備えた空気清浄機において、前記清掃装置が、第１シャフト上にシート状の前記フィルタが巻回された供給ロールと、第２シャフト上に前記フィルタを巻き取る巻取ロールと、前記供給ロールの一端に嵌合して前記供給ロールを回転可能に支持する第１支持部材と、前記供給ロールの他端に連結して前記供給ロールを回転させる第１回転駆動部と、前記巻取ロールの一端に嵌合して前記巻取ロールを回転可能に支持する第２支持部材と、前記巻取ロールの他端に連結して前記巻取ロールを回転させる第２回転駆動部と、前記第１シャフトの両端及び前記第２シャフトの両端に被嵌される複数のキャップ部材とを有し、前記キャップ部材が前記第１支持部材及び前記第２支持部材に嵌合可能な嵌合部と、前記第１回転駆動部側及び前記第２回転駆動部側に連結可能な連結部とを有することを特徴としている。【００２１】
また本発明は、上記構成の空気清浄機において、前記第１支持部材及び前記第２支持部材が同径の嵌合孔を有して前記キャップ部材の外周面により前記嵌合部が形成されるとともに、前記キャップ部材の軸方向の端面上に開口する係合孔により前記連結部を形成して前記第１回転駆動部側及び前記第２回転駆動部側から延びる軸部が前記係合孔に係合すると好ましい。
【発明の効果】
【００２２】
本発明の空気清浄機によると、供給ロールの回転量を検知する回転量検知部の検知結果に基づいて駆動モータを駆動制御し、駆動モータの反転または停止が行われる。これにより、巻取ロールの巻き取り終了のタイミング及び供給ロールへの巻き戻し終了のタイミングを正確に検知することができる。【００２３】
また、本発明の空気清浄機によると、清掃装置は供給ロールを回転させる第１回転駆動部及び巻取ロールを回転させる第２回転駆動部を備える。キャップ部材の嵌合部は第１支持部材及び第２支持部材に嵌合可能に形成される。キャップ部材の連結部は第１回転駆動部及び第２回転駆動部側に連結可能に形成される。これにより、供給ロール及び巻取ロールの両端部に配されるキャップ部材を共通化することができる。従って、空気清浄機の部品コストの削減及び組立作業性の向上を図ることができる。
【図面の簡単な説明】
【００２４】
【図１】本発明の第１実施形態の空気清浄機を示す正面図
【図２】本発明の第１実施形態の空気清浄機を示す側面断面図
【図３】本発明の第１実施形態の空気清浄機の清掃装置を示す分解斜視図
【図４】本発明の第１実施形態の空気清浄機のキャップ部材を示す斜視図
【図５】本発明の第１実施形態の空気清浄機のキャップ部材を示す側面断面図
【図６】本発明の第１実施形態の空気清浄機のキャップ部材を示す側面断面図
【図７】本発明の第１実施形態の空気清浄機のプレフィルタを示す平面図
【図８】本発明の第１実施形態の空気清浄機の清掃装置の巻取ロール、集塵部及びギアユニットの内部を示す斜視図
【図９】本発明の第１実施形態の空気清浄機の清掃装置のギアユニットの内部の拡大斜視図
【図１０】本発明の第１実施形態の空気清浄機の回転検知部を示す側面図
【図１１】本発明の第１実施形態の空気清浄機の回転検知部を示す上面図
【図１２】本発明の第１実施形態の空気清浄機の清掃装置の付勢部の分解斜視図
【図１３】本発明の第２実施形態の空気清浄機の回転検知部を示す側面図
【図１４】本発明の第２実施形態の空気清浄機の回転検知部を示す上面図
【図１５】本発明の第３実施形態の空気清浄機のキャップ部材を示す斜視図
【発明を実施するための形態】
【００２５】
＜第１実施形態＞
以下に図面を参照して本発明の実施形態を説明する。図１及び図２は第１実施形態の空気清浄機の正面図及び側面断面図を示している。なお、空気清浄機１の前方をＹ１方向、後方をＹ２方向とする。また、矢印Ｓは空気の流れを示している。空気清浄機１は吸込口３及び吹出口４、５を開口して居室内の床面等に設置される筐体２を有する。筐体２は本体部２０及びカバー部２１を有する。カバー部２１は本体部２０の背面２０ａに対して着脱可能に配され、吸込口３を開口する。本体部２０は吹出口４、５をそれぞれ前面上部及び上面に開口する。
【００２６】
吹出口４、５には風向を可変する風向板１４、１５がそれぞれ設けられる。風向板１４は平板から成り、風向板１４に設けられた回動軸部（不図示）により上下方向に回動可能に支持される。風向板１４の下面には複数の縦ルーバ１４ａが左右方向に並んで垂設される。両側端部の縦ルーバ１４ａは前方へ行くほど左右方向の外方に傾斜している。
【００２７】
風向板１５は平板から成り、風向板１５の前部に設けられた回動軸部１５ｂにより上下方向に回動可能に支持される。風向板１５の下面には複数の縦ルーバ１５ａが左右方向に並んで垂設される。両側端部の縦ルーバ１５ａは後方へ行くほど左右方向の外方に傾斜している。
【００２８】
風向板１４、１５は空気清浄機１の運転停止時にそれぞれ吹出口４、５を閉じ、運転時に吹出口４、５を開く。
【００２９】
筐体２内には吸込口３と吹出口４、５とを連結する空気通路８が設けられる。空気通路８内には吸込口３から吹出口４、５に向かって（気流の上流から下流に向かって）順にプレフィルタ６（フィルタ）、脱臭フィルタ７、集塵フィルタ９、加湿部２００、送風機１０、イオン発生装置１１及びダンパ１２が設けられる。
【００３０】
空気通路８はイオン発生装置１１の下流で分岐する第１分岐通路８ａ及び第２分岐通路８ｂを有する。第１分岐通路８ａ及び第２分岐通路８ｂはそれぞれ吹出口４、５に連通し、第１分岐通路８ａの空気の流路の断面積は第２分岐通路８ｂの空気の流路の断面積よりも小さくなっている。
【００３１】
ダンパ１２は薄板状に形成され、回動軸部１２ａにより上下方向に回動可能に支持される。ダンパ１２は第１分岐通路８ａを閉じた位置（図２参照）から開く方向（図２において、反時計回り方向）に回動することができる。ダンパ１２により第１分岐通路８ａ及び第２分岐通路８ｂの風量バランスが可変される。
【００３２】
送風機１０はモータ１０ａにより駆動されるシロッコファン等の遠心ファンにより形成され、軸方向に吸気して周方向に排気する。
【００３３】
プレフィルタ６はポリプロピレン等のシート状のメッシュにより形成され、吸込口３に面してカバー部２１に配される。プレフィルタ６によって吸気中の大きな塵埃を捕集することができる。
【００３４】
脱臭フィルタ７はハニカム状に形成され、空気中の臭気成分を吸着して空気を脱臭することができる。
【００３５】
集塵フィルタ９はＨＥＰＡフィルタから成り、濾材（不図示）を覆うように枠材（不図示）がホットメルトにより溶着される。集塵フィルタ９によって空気中の微細な塵埃や所定粒径（例えば３μｍ）よりも小さい粒径のＰＭ２．５等の微小粒子を捕集することができる。
【００３６】
加湿部２００は、トレイ２０１内の水に加湿フィルタ２０２の下部を浸漬し、加湿フィルタ２０２を通過する空気を加湿する。これにより、吹出口４、５から加湿空気が送出される。
【００３７】
イオン発生装置１１は高圧電圧の印加によりイオンを発生するイオン発生面１１ａを有し、イオン発生面１１ａは空気通路８内に面している。イオン発生面１１ａには交流波形またはインパルス波形から成る電圧が印加される。イオン発生面１１ａの印加電圧が正電圧の場合は主としてＨ＋（Ｈ２Ｏ）ｍから成るプラスイオンを発生し、負電圧の場合は主としてＯ２−（Ｈ２Ｏ）ｎから成るマイナスイオンを発生する。ここで、ｍ、ｎは整数である。Ｈ＋（Ｈ２Ｏ）ｍ及びＯ２−（Ｈ２Ｏ）ｎは空気中の浮遊菌や臭気成分の表面で凝集してこれらを取り囲む。
【００３８】
そして、式（１）〜（３）に示すように、衝突により活性種である［・ＯＨ］（水酸基ラジカル）やＨ２Ｏ２（過酸化水素）を微生物等の表面上で凝集生成して浮遊菌等を破壊する。ここで、ｍ’、ｎ’は整数である。従って、プラスイオン及びマイナスイオンを発生して吹出口４、５から送出することにより居室内の除菌及び臭い除去を行うことができる。
【００３９】
Ｈ＋(Ｈ２Ｏ)ｍ＋Ｏ２−(Ｈ２Ｏ)ｎ→・ＯＨ＋1/2Ｏ２＋(ｍ＋ｎ)Ｈ２Ｏ  ・・・（１）
Ｈ＋(Ｈ２Ｏ)ｍ＋Ｈ＋(Ｈ２Ｏ)ｍ’＋Ｏ２−(Ｈ２Ｏ)ｎ＋Ｏ２−(Ｈ２Ｏ)ｎ’
→  2・ＯＨ＋Ｏ２＋(ｍ＋ｍ'＋ｎ＋ｎ')Ｈ２Ｏ  ・・・（２）
Ｈ＋(Ｈ２Ｏ)ｍ＋Ｈ＋(Ｈ２Ｏ)ｍ’＋Ｏ２−(Ｈ２Ｏ)ｎ＋Ｏ２−(Ｈ２Ｏ)ｎ’
→  Ｈ２Ｏ２＋Ｏ２＋(ｍ＋ｍ'＋ｎ＋ｎ')Ｈ２Ｏ  ・・・（３）
【００４０】
本体部２０の上面前部には操作部１９が設けられる。操作部１９は複数のボタン（不図示）を有し、使用者の操作によって空気清浄機１の動作設定を行う。各ボタンの操作により、吹出口４、５から送出される空気の風量の変更や空気の吹き出し方向の変更等を行うことができる。
【００４１】
本体部２０の前面上部には表示部１７が設けられる。表示部１７は吹出口４の右方に配置され、例えば液晶パネルにより構成される。
【００４２】
また、カバー部２１にはプレフィルタ６を清掃する清掃装置３０が設けられる。図３は清掃装置３０の分解斜視図を示している。清掃装置３０は供給ロール４０、巻取ロール５０、ギアユニット６０、付勢部７０、ブラシ体８０、集塵部９０及び駆動モータ１００（図２参照）を有する。
【００４３】
供給ロール４０及び巻取ロール５０はカバー部２１の上部及び下部にそれぞれ配され、プレフィルタ６の両端を保持する。プレフィルタ６は清掃装置３０の停止時に供給ロール４０に巻回され、清掃装置３０の駆動時に供給ロール４０から送り出されて巻取ロール５０に巻き取られる。
【００４４】
供給ロール４０は左右方向に延びるシャフト４１（第１シャフト）を有し、シャフト４１の両端部にはキャップ部材５８が被嵌される。供給ロール４０の一端はカバー部２１の内面の上端部に取り付けられた支持部材４９により支持される。供給ロール４０の他端は後述するカム１１２を介して付勢部７０（第１回転駆動部）に連結される。
【００４５】
また、供給ロール４０の支持部材４９に対する着脱を検知する着脱センサ（不図示）が設けられる。着脱センサは例えばホール素子（不図示）及び磁石（不図示）により構成される。磁石は供給ロール４０に取り付けられる。ホール素子は本体部２０の背面２０ａにおいて供給ロール４０の磁石に対向する位置に配置される。
【００４６】
巻取ロール５０は左右方向に延びるシャフト５１（第２シャフト）を有し、シャフト５１の両端部にはキャップ部材５８が被嵌される。巻取ロール５０の一端はカバー部２１の内面の下端部に取り付けられた支持部材５９により支持される。供給ロール４０の他端はギアユニット６０を介して駆動モータ１００（第２回転駆動部、図２参照）に連結される。
【００４７】
供給ロール４０の両端部及び巻取ロール５０の両端部に配されるキャップ部材５８は同一形状に形成される。図４はキャップ部材５８の斜視図であり、図５、図６はキャップ部材５８の側面断面図である。キャップ部材５８は円筒状の胴部５８ａ（嵌合部）と、胴部５８ａから軸方向に突出する突出部５８ｂと、突出部５８ｂの軸方向の端面に開口する係合孔５８ｃ（連結部）とを有する。
【００４８】
供給ロール４０のシャフト４１及び巻取ロール５０のシャフト５１は同径に形成される。支持部材（第１支持部材）４９に開口する嵌合孔４９ａ及び支持部材（第２支持部材）５９に開口する嵌合孔５９ａは同径に形成される。胴部５８ａは一端が開口し、シャフト４１及びシャフト５１の一端部に被嵌される。また、胴部５８ａは支持部材４９の嵌合孔４９ａ及び支持部材５９の嵌合孔５９ａに嵌入され、回転可能に支持される。
【００４９】
係合孔５８ｃの内周面は雌スプライン状に形成されている。付勢部７０（図３参照）に連結されるカム１１２には雄スプライン状の軸部１１２ｄが軸方向に突出する。ギアユニット６０の平歯車６３（図９参照）にはカム１１２の軸部１１２ｄと同一形状の雄スプライン状の軸部６３ａ（図９参照）が軸方向に突出する。係合孔５８ｃに軸部１１２ｄが係合してシャフト４１と付勢部７０（図３参照）とが連結される。また、係合孔５８ｃに軸部６３ａが係合してシャフト５１と駆動モータ１００（図２参照）とが連結される。
【００５０】
これにより、供給ロール４０及び巻取ロール５０の両端部に配されるキャップ部材５８を共通化することができる。従って、空気清浄機１の部品コストの削減及び組立作業性の向上を図ることができる。
【００５１】
図７はプレフィルタ６の平面図を示している。プレフィルタ６は巻取方向Ｗの両端部に左右方向に延びて供給ロール４０及び巻取ロール５０に保持されるバー材６ａを有する。また、プレフィルタ６は清掃装置３０の停止時に吸込口３に面して配される通気部６ｂと、清掃装置３０の駆動時に供給ロール４０から送り出される収納部６ｃとを有する。
【００５２】
収納部６ｃ上には通気部６ｂと区別して吸込口３から視認可能な図柄６ｇが設けられる。本実施形態では、図柄６ｇとして「お掃除中です」と赤い文字を用いている。なお、図柄６ｇに特に限定はなく、例えば、通気部６ｂと異なる色の縞模様等でもよい。
【００５３】
図３において、ブラシ体８０はカバー部２１に着脱可能に取り付けられた集塵部９０に配される。ブラシ体８０は集塵部９０に軸方向の両端部を支持されるシャフト８１を有し、後述のように清掃装置３０の駆動時に回転してプレフィルタ６上の塵埃を除去する。シャフト８１の一端（右端）には平歯車６８が設けられ、シャフト８１の周面にはブラシ毛束８２が螺旋状に所定間隔で植設される。
【００５４】
集塵部９０は蓋部９１、集塵容器９２及び櫛部９３を有し、カバー部２１に対して着脱可能に配される。集塵容器９２は透明な樹脂により形成され、上面を開口して両側部でブラシ体８０を支持する。蓋部９１は左右端にわたって開口する開口部９１ａを開口し、集塵容器９２の上面を覆う。ブラシ体８０のブラシ毛束８２は開口部９１ａから外部に露出する。櫛部９３は左右方向に延びて形成され、歯先を上方に向けて集塵容器９２内に配される。回転するブラシ体８０のブラシ毛束８２は櫛部９３の歯先に当接する。櫛部９３によってブラシ毛束８２に付着した塵埃がブラシ毛束８２から除去される。
【００５５】
ブラシ体８０によってプレフィルタ６から除去された塵埃及び櫛部９３によってブラシ体８０から除去された塵埃は集塵容器９２内に溜められる。この時、集塵容器９２は透明な樹脂により形成されるため、使用者は集塵容器９２内の塵埃量を容易に把握することができる。
【００５６】
駆動モータ１００（図２参照）は筐体２の本体部２０内に配され、駆動モータ１００の回転軸（不図示）は本体部２０の背面２０ａから後方に向かって突出している。駆動モータ１００としてステッピングモータが用いられる。
【００５７】
また、プレフィルタ６の前方には所定の隙間を有して押え部材２２が配される。押え部材２２はカバー部２１に対して着脱可能に取り付けられる。押え部材２２によってプレフィルタ６を吸込口３に沿って安定して配置し、吸込気流によるプレフィルタ６の弛みを防止することができる。
【００５８】
図８は清掃装置３０の巻取ロール５０、集塵部９０及びギアユニット６０の内部を示す斜視図である。図９はギアユニット６０の内部の拡大斜視図である。ギアユニット６０は、傘歯車６１、傘歯車６２、平歯車６３、平歯車６４、内歯車６５、平歯車６６、平歯車６７をハウジング６０ａ（図３参照）内に有する。ハウジング６０ａはカバー部２１（図３参照）にネジ止めされる。
【００５９】
傘歯車６１は軸方向を前後方向に配され、駆動モータ１００（図２参照）の回転軸（不図示）に嵌合する嵌合孔６１ａを軸上に有する。傘歯車６２は軸方向を左右方向に配され、傘歯車６１に噛合する。平歯車６３は傘歯車６２と同心に一体形成される。
【００６０】
平歯車６３の軸部６３ａはキャップ部材５８に係合し、平歯車６３及び傘歯車６２が巻取ロール５０に連結される。
【００６１】
平歯車６４は平歯車６３の下方に配置され、平歯車６３に噛合する。内歯車６５は平歯車６４と一体に設けられる。平歯車６６は内歯車６５に噛合する。平歯車６７は平歯車６６と同心に一体形成される。ブラシ体８０の一端に設けられる平歯車６８は平歯車６７に噛合する。
【００６２】
駆動モータ１００の駆動により傘歯車６１、傘歯車６２を介して巻取ロール５０が回転する。また、傘歯車６２と一体の平歯車６３の回転により平歯車６４、内歯車６５、平歯車６６、平歯車６７、平歯車６８を介してブラシ体８０が回転する。傘歯車６２と一体の平歯車６３と、ブラシ体８０に連結される平歯車６４とが噛合するため、巻取ロール５０に平行に配されるブラシ体８０を容易に回転させることができる。
【００６３】
この時、平歯車６４と一体の内歯車６５が設けられるため、ブラシ体８０の回転軸上の平歯車６８を平歯車６３の回転軸と平歯車６４の回転軸との間に配置することができる。これにより、巻取ロール５０上のプレフィルタ６に摺動するブラシ体８０を容易に巻取ロール５０に接近して配置することができる。
【００６４】
なお、傘歯車６１、６２は交差軸歯車であればよい。また、各平歯車は平行軸歯車であればよく、はすば歯車等を用いてもよい。
【００６５】
また、空気清浄機１は供給ロール４０の回転量を検知する回転量検知部１１０が設けられる。図１０は回転量検知部１１０の側面図を示しており、図１１は回転量検知部１１０の上面図を示している。回転量検知部１１０はフォトインタラプタ１１１とカム１１２とレバー部材１１３とを有する。
【００６６】
フォトインタラプタ１１１は本体部２０に設けられ、フォトインタラプタ１１１の発光部１１１ａと受光部１１１ｂとは供給ロール４０の軸方向に隣接して配される。
【００６７】
カム１１２はシャフト４１の軸方向の端部にキャップ部材５８を介して連結されており、シャフト４１と同心に回転する。カム１１２の周面には径方向に凹む複数の凹部１１２ｂを周方向に所定周期で配したカム面１１２ａが形成されている。
【００６８】
レバー部材１１３は薄板状であり、前後方向（Ｙ１−Ｙ２方向）の前端の軸部１１３ａにより本体部２０の内部で傾斜可能に支持される。また、レバー部材１１３は枢支軸１１３ａを支点にして上下方向に往復可能に回動することができる。
【００６９】
レバー部材１１３は本体部２０の背面２０ａに形成されたスリット２０ｂを介して供給ロール４０側へ延び、レバー部材１１３の後端には下方に突出する突出片１１３ｂが設けられる。突出片１１３ｂはカム面１１２ａの上方に配され、自重によりカム面１１２ａに当接する。なお、一端が本体部２０に固定されたバネ（弾性部材）の他端をレバー部材１１３の上部に固定し、バネの弾性力を利用して突出片１１３ｂをカム面１１２ａに当接させてもよい。
【００７０】
レバー部材１１３が本体部２０の内部に設けられるため、供給ロール４０と本体部２０とを近設することができ、空気清浄機１を小型化することができる。また、レバー部材１１３が薄状部材により形成され、本体部２０にレバー部材１１３が挿通されるスリット２０ｂを設けたので、スリット２０ｂの幅を狭くできる。これにより、スリット２０ｂから使用者の手指が挿入されないため本体部２０内の電装部品と手指との接触を防止し、空気清浄機１の安全性を向上することができる。また、スリット２０ｂを介して塵埃が本体部２０内に入り込み電装部品が故障するのを防止することができる。
【００７１】
供給ロール４０が回転すると、突出片１１３ｂが凹凸状のカム面１１２ａを摺動してレバー部材１１３が所定周期でシャフト４１の径方向に変位する。これにより、供給ロール４０の回転に応じて発光部１１１ａと受光部１１１ｂとの間の通光状態と遮光状態とを切り替える。
【００７２】
即ち、レバー部材１３が発光部１１１ａと受光部１１１ｂとの間に配されると、発光部１１１ａと受光部１１１ｂの間が遮光状態となる。また、図１０の一点鎖線で示すように、レバー部材１３が発光部１１１ａと受光部１１１ｂとの間から退避すると、発光部１１１ａと受光部１１１ｂの間が通光状態となる。
【００７３】
フォトインタラプタ１１１は受光部１１１ｂが受光する光のオンオフを検知する。これにより、回転量検知部１１０は受光部１１１ｂから出力されるパルスの回数によって供給ロール４０の回転量を検知することができる。
【００７４】
また、供給ロール４０と一体のカム１１２に摺動するレバー部材１１３の変位により発光部１１１ａと受光部１１１ｂとの間の通光状態と遮光状態とを切り替える。このため、回転するカム１１２を小径に形成してカム１１２に対して径方向の一方向（本実施形態では上方）のみにレバー部材１１３を配置できる。従って、空気清浄機１の小型化を図ることができる。
【００７５】
図１２は清掃装置３０の付勢部７０の分解斜視図を示している。付勢部７０は互いにネジ止めされるハウジング７８、７９内に収納される回転体７１及び回転体７２を有する。回転体７１の軸方向の一端面から挟持部７１ａが突設されるとともに他端面には溝部７１ｂが設けられる。溝部７１ｂにはカム１１２に連結される係止部材４８の一端面に設けられた係止部４８ａが嵌合する。これにより、供給ロール４０がキャップ部材５８、カム１１２及び係止部材４８を介して回転体７１に連結され、付勢部７０に接続される。
【００７６】
回転体７２は回転体７１側の内部にゼンマイ７５を収納する。ゼンマイ７５の一端（内端）は回転体７１の挟持部７１ａにより挟持され、他端（外端）は回転体７２の内周面上に取り付けられる。右側面から見て（矢印Ａ方向から見て）回転体７１が回転体７２に対して時計回りに回転するとゼンマイ７５の付勢力が大きくなる。すなわち、矢印Ａ方向から見て回転体７２が回転体７１に対して時計回りに回転するとゼンマイ７５の付勢力が小さくなる。
【００７７】
回転体７２の軸方向の外側（右側）の外周面には、複数の爪７２ａが所定間隔で設けられる。ハウジング７８内にはストッパ７７が軸支され、ストッパ７７は回転体７２を押圧する方向にねじりコイルばね７７ａによって付勢される。これにより、回転体７２はストッパ７７と爪７２ａとの係合によって矢印Ａ方向から見てゼンマイ７５の付勢力を小さくする時計回りの回転が規制される。
【００７８】
ハウジング７８の右側面には開口部７８ａが開口し、開口部７８ａを覆うように円筒形状のハンドル７３が配される。ハウジング７８内には開口部７８ａよりも大径の鍔部７３ａが配される。開口部７８ａを介してハンドル７３と鍔部７３ａとがハウジング７８の外壁に対して軸方向に所定の隙間を有してネジ止めされる。これにより、ハンドル７３がハウジング７８に回転可能に取り付けられる。
【００７９】
ハウジング７８内には鍔部７３ａの軸方向の内側（左側）に連結部材７４が配される。回転体７２と連結部材７４との間には圧縮バネ７６が配され、連結部材７４が軸方向の外側（右側）に付勢される。連結部材７４の周面には複数の切欠き部７４ｃが所定間隔で形成される。回転体７２の軸方向の外端部には切欠き部７４ｃに嵌合する放射状に延びた複数のリブ７２ｃが形成される。これにより、連結部材７４は回転体７２と一体に回転する。
【００８０】
連結部材７４は鍔部７３ａ及び開口部７８ａよりも大径に形成される。連結部材７４の軸方向の外側（右側）の面には複数の傾斜部７４ａ及び複数のリブ７４ｂが所定間隔で設けられる。傾斜部７４ａは矢印Ａ方向から見て反時計回りに漸次高く形成される。リブ７４ｂは傾斜部７４ａの頂部に隣接して放射状に延び、頂部よりも高く形成される。
【００８１】
また、鍔部７３ａの軸方向の内側の面（左側面）にはリブ７４ｂに係合する放射状に延びた複数のリブ７３ｂが設けられる。ハウジング７８の内壁面にはリブ７４ｂに係合する突起部（不図示）が設けられる。
【００８２】
ハンドル７３を矢印Ａ方向から見て時計回りに回転させると、リブ７４ｂがリブ７３ｂに係合するとともにハウジング７８の突起部に係合する。これにより、ハンドル７３の回転が規制される。
【００８３】
一方、ハンドル７３を矢印Ａ方向から見て反時計回りに回転させると、リブ７３ｂが傾斜部７４ａ上を摺動する。このため、連結部材７４が圧縮バネ７６の付勢力に抗して軸方向内側に移動し、リブ７４ｂがハウジング７８の突起部から軸方向に離れる。これにより、ハンドル７３を回転させることができ、リブ７４ｂがリブ７３ｂに係合して回転体７２がゼンマイ７５の付勢力を大きくする方向に回転する。すなわち、ハンドル７３によって回転体７２が回転操作される。
【００８４】
上記構成の空気清浄機１において、操作部１９の操作により運転が開始されると、カバー部２１が本体部２０に取り付けられているか否かが判断される。カバー部２１が本体部２０に取り付けられていると判断されると、送風機１０及びイオン発生装置１１が駆動される。これにより、吸込口３から居室内の空気が吸い込まれて送風通路８を流通する。この時、プレフィルタ６により空気中に大きな塵埃が捕集される。また、脱臭フィルタ７により空気が脱臭され、集塵フィルタ９により空気中の微細な塵埃やＰＭ２．５等の微小粒子が捕集される。
【００８５】
そして、イオン発生装置１１により発生したイオンが空気に含まれる。イオンを含んだ空気は吹出口４、５の一方または両方から居室内に吹き出される。これにより、空気清浄機１の送風動作が行われ、居室内の空気清浄が行われる。
【００８６】
次に、清掃装置３０の動作について説明する。所定の時期になると、清掃装置３０が駆動されて清掃装置３０による清掃動作が開始される。清掃動作は例えば空気清浄機１の所定期間内の累積運転時間が所定時間を超えた場合に開始される。清掃装置３０の駆動時に送風機１０は停止される。
【００８７】
清掃装置３０が駆動されると駆動モータ１００が回転し、傘歯車６１（図６、図７参照）が正面から見て反時計回りに回転する。傘歯車６２及び平歯車６３は右側面から見て（矢印Ａ方向から見て）時計回りに回転する。これにより、巻取ロール５０は右側面から見て時計回りに回転し、供給ロール４０からプレフィルタ６を引き出して巻き取る。
【００８８】
平歯車６４、内歯車６５、平歯車６６及び平歯車６７は右側面から見て反時計回りに回転し、平歯車６８は右側面から見て時計回りに回転する。これにより、ブラシ体８０は右側面から見て時計回りに回転する。この時、ブラシ体８０のブラシ毛束８２は巻取ロール５０上のプレフィルタ６に摺動する。これにより、プレフィルタ６上の塵埃が除去され、塵埃は容器９２内に集塵される。
【００８９】
この時、巻取ロール５０の回転方向とブラシ体８０の回転方向とが同じ方向になる。このため、ブラシ体８０のブラシ毛束８２はプレフィルタ６の進行方向と逆方向からプレフィルタ６に摺動する。従って、ブラシ体８０はプレフィルタ６上の塵埃を確実に除去することができる。
【００９０】
また、ブラシ体８０の周速は巻取ロール５０の周速よりも大きいと望ましい。これにより、プレフィルタ６上でブラシ毛束８２の周方向の接触長さをブラシ毛束８２の接触する周期よりも長くし、プレフィルタ６上にブラシ毛束８２を隙間なく接触させることができる。
【００９１】
回転するシャフト８１上のブラシ毛束８２は櫛部９３で梳かれ、ブラシ毛束８２に付着した塵埃が容器９２内に落下する。
【００９２】
プレフィルタ６が巻取ロール５０に巻き取られる時、供給ロール４０に接続される付勢部７０の回転体７１（図８参照）は右側面から見て（矢印Ａ方向から見て）時計回りに回転する。これにより、ゼンマイ７５が巻かれ、ゼンマイ７５の付勢力が大きくなる。
【００９３】
この時、プレフィルタ６の収納部６ｃ上の図柄６ｇ（図４参照）が下方に移動し、吸込口３を介して視認される。これにより、使用者は清掃装置３０の駆動中であること容易に認識することができる。このため、使用者が故障によって送風機１０が停止したと誤認することを防止できる。なお、清掃装置３０の駆動時に送風機１０を低速運転してもよい。
【００９４】
回転量検知部１１０の検知により供給ロール４０の回転量が所定値に到達すると、駆動モータ１００が反転する。これにより、傘歯車６１が巻取時とは反対方向（本実施形態では時計回り方向）に回転する。この時、巻取ロール５０及びブラシ体８０は右側面から見て反時計回りに回転する。
【００９５】
巻取ロール５０によるプレフィルタ６の巻取が終わった時にゼンマイ７５の付勢力は巻取前よりも大きくなっている。このため、駆動モータ１００を反転させると、ゼンマイ７５の復元力によって回転体７１が右側面から見て反時計回りに回転する。これにより、プレフィルタ６が供給ロール４０に巻き戻される。
【００９６】
回転量検知部１１０の検知により供給ロール４０の回転量が所定値に到達すると、駆動モータ１００が停止される。以上により、清掃装置３０による清掃動作が終了する。
【００９７】
駆動モータ１００は供給ロール４０の回転量を検知する回転量検知部１１０の検知結果に基づいて駆動制御され、駆動モータ１００の反転または停止が行われる。これにより、巻取ロール５０の巻き取り終了のタイミング及び供給ロール４０への巻き戻し終了のタイミングを正確に検知できる。
【００９８】
なお、駆動モータ１００を駆動しても供給ロール４０が所定時間内に所定の回転量に到達しない場合は表示部１７にエラーを示す文字等を表示してエラー報知を行う。
【００９９】
供給ロール４０の脱落や、シャフト４１及びシャフト５１に対するプレフィルタ６のバー材６ａの脱離が生じると巻取ロール５０が回転しても供給ロール４０が回転しない。また、プレフィルタ６に堆積した塵埃により供給ロール４０の回転負荷が増加すると、プレフィルタ６が供給ロール４０に正常に巻き戻しされない。
【０１００】
これらの場合に、制御部（不図示）は供給ロール４０が巻取ロール５０に連動して正常に回転していないと判断してエラー報知を行う。これにより、使用者は清掃装置３０によるプレフィルタ６の清掃の未了を容易に認識することができる。この時、回転量検知部１１０が供給ロール４０の回転量を検知するため、これらのエラーを容易に検知することができる。
【０１０１】
清掃装置３０による清掃動作の終了後に、使用者は集塵部９０をカバー部２１から取り外し、容器９２に溜まった塵埃を廃棄することができる。
【０１０２】
また、プレフィルタ６は交換時にプレフィルタ６の一端を取り付けられた供給ロール４０がカバー部２１に装着される。そして、プレフィルタ６の下端が巻取ロール５０に取り付けられる。
【０１０３】
この時、供給ロール４０と巻取ロール５０との間のプレフィルタ６に弛みが生じている場合がある。この場合に使用者が付勢部７０のハンドル７３を右側面から見て（矢印Ａ方向から見て）反時計回りに回すと、回転体７１、７２が右側面から見て反時計回りに回転する。これにより、プレフィルタ６が供給ロール４０に巻き取られ、プレフィルタ６の弛みを解消することができる。従って、送風機１０を駆動させた際に吸込口３から吸い込まれた空気がプレフィルタ６を確実に通過することができる。
【０１０４】
本実施形態によると、供給ロール４０の回転量を検知する回転量検知部１１０の検知結果に基づいて駆動モータ１００を駆動制御し、駆動モータ１００の反転または停止が行われる。これにより、巻取ロール５０の巻き取り終了のタイミング及び供給ロール４０への巻き戻し終了のタイミングを正確に検知することができる。
【０１０５】
また、供給ロール４０が巻取ロール５０に連動して正常に回転しない場合に、供給ロール４０の回転量を検知する回転量検知部１１０によってエラーを容易に検知することができる。
【０１０６】
また、回転量検知部１１０が本体部２０に配される発光部１１１ａ及び受光部１１１ｂを有するとともに、供給ロール４０の回転に応じて発光部１１１ａと受光部１１１ｂとの間の通光状態と遮光状態とが切り替えられる。これにより、回転量検知部１１０を容易に実現することができる。
【０１０７】
また、シャフト４１と一体のカム１１２の周面に形成されるカム面１１２ａ上を摺動するレバー部材１１３の変位によりレバー部材１１３によって遮光状態と通光状態とを形成する。これにより、回転するカム１１２を小径に形成してカム１１２に対して径方向の一方向のみにレバー部材１１３を配置できる。従って、空気清浄機１の小型化を図ることができる。
【０１０８】
また、レバー部材１１３が本体部２０の内部で傾斜可能に支持される薄状部材から成り、レバー部材１１３が挿通されるスリット２０ｂを本体部２０に設けた。これにより、供給ロール４０と本体部２０とを近設することができ、空気清浄機１を小型化することができる。また、本体部２０内の電装部品と手指との接触を防止し、空気清浄機１の安全性を向上することができる。
【０１０９】
また、巻取ロール５０を回転駆動して所定時間内に供給ロール４０が所定の回転量に到達しない場合にエラー報知を行う。これにより、使用者は清掃装置３０によるプレフィルタ６の清掃の未了を容易に認識することができる。
【０１１０】
また、清掃装置３０は供給ロール４０を回転させる付勢部７０（第１回転駆動部）及び巻取ロール５０を回転させる駆動モータ１００（第２回転駆動部）を備える。キャップ部材５８の胴部５８ａ（嵌合部）は支持部材（第１支持部材）４９及び支持部材（第２支持部材）５９に嵌合可能に形成される。キャップ部材５８の係合孔５８ｃ（連結部）は付勢部７０側のカム１１２及び駆動モータ１００側の平歯車６３に連結可能に形成される。これにより、供給ロール４０及び巻取ロール５０の両端部に配されるキャップ部材５８を共通化することができる。従って、空気清浄機１の部品コストの削減及び組立作業性の向上を図ることができる。
【０１１１】
＜第２実施形態＞
次に、本発明の第２実施形態について説明する。図１３、図１４は第２実施形態の回転量検知部１１０の側面図、上面図を示している。説明の便宜上、前述の図１〜図１２に示した第１実施形態と同様の部分には同一の符号を付している。本実施形態では、回転量検知部１１０の構成が第１実施形態とは異なっている。その他の部分は第１実施形態と同様である。
【０１１２】
回転量検知部１１０はフォトインタラプタ１１１及び反射部１１４ｂを有する。本体部２０の背面２０ａには供給ロール４０に面して開口する窓部２０ｃを有する。また、窓部２０ｃはアクリル等の透明部材２０ｄにより覆われている。
【０１１３】
反射部１１４ｂは金属箔等により形成され、シャフト４１の軸方向の端部に設けられた回転体１１４の周面１１４ａに配される。反射部１１４ｂは周方向に所定周期で複数設けられている。これにより、周面１１４ａには反射部１１４ｂと反射部１１４ｂ以外の非反射部１１４ｃとが周方向に交互に配される。
【０１１４】
フォトインタラプタ１１１は本体部２０に配され、発光部１１１ａ及び受光部１１１ｂは窓部２０ｃを介して回転体１１４に面している。
【０１１５】
供給ロール４０が回転して発光部１１１ａの出射光が反射部１１４ｂに照射されると反射して受光部１１１ｂに入射する。発光部１１１ａの出射光が非反射部１１４ｃに照射されると反射しないため受光部１１１ｂに入射しない。
【０１１６】
これにより、回転量検知部１１０は受光部１１１ｂから出力されるパルスの回数によって供給ロール４０の回転量を検知することができる。
【０１１７】
本実施形態によると第１実施形態と同様の効果を得ることができる。また、本体部２０に開口する窓部２０ｃを介して発光部１１１ａ及び受光部１１１ｂがシャフト４１の周面に設けた反射部１１４ｂに面する。これにより、回転量検知部１１０を容易に実現することができる。
【０１１８】
また、レバー部材１１３（図１０参照）が設けられないため、本体部２０と供給ロール４０とをより近設することができる。従って、空気清浄機１のより小型化を図ることができる。
【０１１９】
また、窓部２０ｃが透明部材２０ｄにより覆われるため、本体部２０内の電装部品と手指との接触を防止し、空気清浄機１の安全性を向上することができる。
【０１２０】
＜第３実施形態＞
次に、本発明の第３実施形態について説明する。図１５は第３実施形態のキャップ部材５８の斜視図を示している。説明の便宜上、前述の図１〜図１２に示した第１実施形態と同様の部分には同一の符号を付している。本実施形態では、キャップ部材５８の形状が第１実施形態とは異なっている。その他の部分は第１実施形態と同様である。
【０１２１】
キャップ部材５８は胴部５８ａから雄スプライン状の係合部（連結部）５８ｄが軸方向に突出している。カム１１２に形成された雌スプライン状の係合孔（不図示）及び平歯車６３に形成された雌スプライン状の係合孔（不図示）に係合する。これにより、第１実施形態と同様の効果を得ることができる。
【産業上の利用可能性】
【０１２２】
本発明は、フィルタを清掃する清掃装置を備えた空気清浄機に利用することができる。
【符号の説明】
【０１２３】
１    空気清浄機
２    筐体
３    吸込口
４、５    吹出口
６    プレフィルタ（フィルタ）
６ａ  バー材
６ｂ  通気部
６ｃ  収納部
６ｇ  図柄
７    脱臭フィルタ
８    空気通路
８ａ  第１分岐通路
８ｂ  第２分岐通路
９    集塵フィルタ
１０    送風機
１１    イオン発生装置
１２    ダンパ
１４、１５    風向板
１７    表示部
２０    本体部
２０ａ  背面
２０ｂ  スリット
２０ｃ  窓部
２０ｄ  透明部材
２１    カバー部
２２    押え部材
２３    磁石
３０    清掃装置
４０    供給ロール
４１    シャフト（第１シャフト）
４９    支持部材（第１支持部）
４９ａ  嵌合孔
５０    巻取ロール
５１    シャフト（第２シャフト）
５８    キャップ部材
５８ａ  胴部
５８ｂ  突出部
５８ｃ  係合孔（連結部）
５８ｄ  係合部（連結部）
５９    支持部材（第２支持部）
５９ａ  嵌合孔
６０    ギアユニット
６１    傘歯車
６２    傘歯車
６３    平歯車（第２回転駆動部）
６４    平歯車
６５    内歯車
６６    平歯車
７０    付勢部
７１    回転体
７１ａ  挟持部
７２    回転体
７２ａ  爪
７３    ハンドル
７４    連結部材
７５    ゼンマイ
７６    圧縮ばね
７７    ストッパ
７７ａ  ねじりコイルばね
７８、７９    ハウジング
８０    ブラシ体
８１    シャフト
８２    ブラシ毛束
９０    集塵部
９１    蓋部
９１ａ  開口部
９２    容器
９３    櫛部
１００    駆動モータ
１１０    回転量検知部
１１１    フォトインタラプタ
１１１ａ  発光部
１１１ｂ  受光部
１１２    カム（第１回転駆動部）
１１２ａ  カム面
１１２ｂ  凹部
１１３    レバー部材
１１３ａ  枢支軸
１１３ｂ  突出片
１１４    回転体
１１４ａ  周面
１１４ｂ  反射部
１１４ｃ  非反射部
２００    加湿部
２０１    トレイ
２０２    加湿フィルタ
３００    テープ状部材
４００    回動板
４０１    軸部
【図１】
2018179469.tif 000003
【図２】
2018179469.tif 000004
【図３】
2018179469.tif 000005
【図４】
2018179469.tif 000006
【図５】
2018179469.tif 000007
【図６】
2018179469.tif 000008
【図７】
2018179469.tif 000009
【図８】
2018179469.tif 000010
【図９】
2018179469.tif 000011
【図１０】
2018179469.tif 000012
【図１１】
2018179469.tif 000013
【図１２】
2018179469.tif 000014
【図１３】
2018179469.tif 000015
【図１４】
2018179469.tif 000016
【図１５】
2018179469.tif 000017
【手続補正書】
【提出日】平成31年2月28日(2019.2.28)
【手続補正１】
【補正対象書類名】特許請求の範囲
【補正対象項目名】全文
【補正方法】変更
【補正の内容】
【特許請求の範囲】
【請求項１】
吸込口及び吹出口を開口する筐体と、前記吸込口と前記吹出口とを連結する空気通路と、前記空気通路内に配される送風機と、前記吸込口に面して配されるフィルタと、前記フィルタを清掃する清掃装置とを備えた空気清浄機において、
前記清掃装置が、シャフト上にシート状の前記フィルタが巻回された供給ロールと、前記フィルタを巻き取る巻取ロールと、前記巻取ロールを回転駆動する駆動モータと、前記供給ロールを前記巻取ロールによる巻取方向の逆方向に付勢する付勢部と、前記供給ロールの回転量を検知する回転量検知部とを有し、前記回転量検知部の検知結果に基づいて前記駆動モータの駆動制御を行うことを特徴とする空気清浄機。
【請求項２】
前記吹出口を開口する本体部と、前記吸込口を開口して前記本体部に着脱可能に配されるとともに前記供給ロールを保持するカバー部とを更に備え、前記回転量検知部が前記本体部に配される発光部及び受光部を有するとともに、前記供給ロールの回転に応じて前記発光部と前記受光部との間の通光状態と遮光状態とが切り替えられることを特徴とする請求項１に記載の空気清浄機。
【請求項３】
前記シャフトの軸方向の端部の周面に形成されるカム面と、前記カム面上を摺動して前記シャフトの径方向に変位するレバー部材とを設け、前記レバー部材が前記発光部と前記受光部との間に配されて前記遮光状態を形成し、前記発光部と前記受光部との間から退避して前記通光状態を形成することを特徴とする請求項２に記載の空気清浄機。
【請求項４】
前記レバー部材が前記本体部の内部で傾斜可能に支持される薄状部材から成り、前記レバー部材が挿通されるスリットを前記本体部に設けたことを特徴とする請求項２または請求項３に記載の空気清浄機。
【請求項５】
前記本体部に開口する窓部を介して前記発光部及び前記受光部が前記シャフトの軸方向の端部に面し、前記発光部の出射光を反射する反射部を前記シャフトの周面に設けたことを特徴とする請求項２に記載の空気清浄機。
【請求項６】
前記巻取ロールを回転駆動して所定時間内に前記供給ロールが所定の回転量に到達しない場合にエラー報知を行うことを特徴とする請求項１〜請求項５のいずれかに記載の空気清浄機。
【請求項７】
吸込口及び吹出口を開口する筐体と、前記吸込口と前記吹出口とを連結する空気通路と、前記空気通路内に配される送風機と、前記吸込口に面して配されるフィルタと、前記フィルタを清掃する清掃装置とを備えた空気清浄機において、
前記清掃装置が、第１シャフト上にシート状の前記フィルタが巻回された供給ロールと、第２シャフト上に前記フィルタを巻き取る巻取ロールと、前記供給ロールの一端に嵌合して前記供給ロールを回転可能に支持する第１支持部材と、前記供給ロールの他端に連結して前記供給ロールを回転させる第１回転駆動部と、前記巻取ロールの一端に嵌合して前記巻取ロールを回転可能に支持する第２支持部材と、前記巻取ロールの他端に連結して前記巻取ロールを回転させる第２回転駆動部と、前記第１シャフトの両端及び前記第２シャフトの両端に被嵌される複数のキャップ部材とを有し、
前記キャップ部材が前記第１支持部材及び前記第２支持部材に嵌合可能な嵌合部と、前記第１回転駆動部側及び前記第２回転駆動部側に連結可能な連結部とを有することを特徴とする空気清浄機。
【請求項８】
前記第１支持部材及び前記第２支持部材が同径の嵌合孔を有して前記キャップ部材の外周面により前記嵌合部が形成されるとともに、前記キャップ部材の軸方向の端面上に開口する係合孔により前記連結部を形成して前記第１回転駆動部側及び前記第２回転駆動部側から延びる軸部が前記係合孔に係合することを特徴とする請求項７に記載の空気清浄機。
【手続補正２】
【補正対象書類名】明細書
【補正対象項目名】００４６
【補正方法】変更
【補正の内容】
【００４６】
巻取ロール５０は左右方向に延びるシャフト５１（第２シャフト）を有し、シャフト５１の両端部にはキャップ部材５８が被嵌される。巻取ロール５０の一端はカバー部２１の内面の下端部に取り付けられた支持部材５９により支持される。巻取ロール５０の他端はギアユニット６０を介して駆動モータ１００（第２回転駆動部、図２参照）に連結される。
【手続補正３】
【補正対象書類名】明細書
【補正対象項目名】００４９
【補正方法】変更
【補正の内容】
【００４９】
係合孔５８ｃの内周面は雌スプライン状に形成されている。付勢部７０（図３参照）に連結されるカム１１２には雄スプライン状の軸部１１２ｄが軸方向に突出する。ギアユニット６０の平歯車６３（図９参照）にはカム１１２の軸部１１２ｄと同一形状の雄スプライン状の軸部６３ｂ（図９参照）が軸方向に突出する。係合孔５８ｃに軸部１１２ｄが係合してシャフト４１と付勢部７０（図３参照）とが連結される。また、係合孔５８ｃに軸部６３ｂが係合してシャフト５１と駆動モータ１００（図２参照）とが連結される。
【手続補正４】
【補正対象書類名】明細書
【補正対象項目名】００６０
【補正方法】変更
【補正の内容】
【００６０】
平歯車６３の軸部６３ｂはキャップ部材５８に係合し、平歯車６３及び傘歯車６２が巻取ロール５０に連結される。
【手続補正５】
【補正対象書類名】明細書
【補正対象項目名】００８８
【補正方法】変更
【補正の内容】
【００８８】
平歯車６４、内歯車６５、平歯車６６及び平歯車６７は右側面から見て反時計回りに回転し、平歯車６８は右側面から見て時計回りに回転する。これにより、ブラシ体８０は右側面から見て時計回りに回転する。この時、ブラシ体８０のブラシ毛束８２は巻取ロール５０上のプレフィルタ６に摺動する。これにより、プレフィルタ６上の塵埃が除去され、塵埃は集塵容器９２内に集塵される。
【手続補正６】
【補正対象書類名】明細書
【補正対象項目名】００９１
【補正方法】変更
【補正の内容】
【００９１】
回転するシャフト８１上のブラシ毛束８２は櫛部９３で梳かれ、ブラシ毛束８２に付着した塵埃が集塵容器９２内に落下する。
【手続補正７】
【補正対象書類名】明細書
【補正対象項目名】０１０１
【補正方法】変更
【補正の内容】
【０１０１】
清掃装置３０による清掃動作の終了後に、使用者は集塵部９０をカバー部２１から取り外し、集塵容器９２に溜まった塵埃を廃棄することができる。
【手続補正８】
【補正対象書類名】明細書
【補正対象項目名】０１２３
【補正方法】変更
【補正の内容】
【０１２３】
１    空気清浄機
２    筐体
３    吸込口
４、５    吹出口
６    プレフィルタ（フィルタ）
６ａ  バー材
６ｂ  通気部
６ｃ  収納部
６ｇ  図柄
７    脱臭フィルタ
８    空気通路
８ａ  第１分岐通路
８ｂ  第２分岐通路
９    集塵フィルタ
１０    送風機
１１    イオン発生装置
１２    ダンパ
１４、１５    風向板
１７    表示部
２０    本体部
２０ａ  背面
２０ｂ  スリット
２０ｃ  窓部
２０ｄ  透明部材
２１    カバー部
２２    押え部材
２３    磁石
３０    清掃装置
４０    供給ロール
４１    シャフト（第１シャフト）
４９    支持部材（第１支持部材）
４９ａ  嵌合孔
５０    巻取ロール
５１    シャフト（第２シャフト）
５８    キャップ部材
５８ａ  胴部（嵌合部）
５８ｂ  突出部
５８ｃ  係合孔（連結部）
５８ｄ  係合部（連結部）
５９    支持部材（第２支持部材）
５９ａ  嵌合孔
６０    ギアユニット
６１    傘歯車
６２    傘歯車
６３    平歯車
６４    平歯車
６５    内歯車
６６    平歯車
７０    付勢部（第１回転駆動部）
７１    回転体
７１ａ  挟持部
７２    回転体
７２ａ  爪
７３    ハンドル
７４    連結部材
７５    ゼンマイ
７６    圧縮ばね
７７    ストッパ
７７ａ  ねじりコイルばね
７８、７９    ハウジング
８０    ブラシ体
８１    シャフト
８２    ブラシ毛束
９０    集塵部
９１    蓋部
９１ａ  開口部
９２    集塵容器
９３    櫛部
１００    駆動モータ（第２回転駆動部）
１１０    回転量検知部
１１１    フォトインタラプタ
１１１ａ  発光部
１１１ｂ  受光部
１１２    カム
１１２ａ  カム面
１１２ｂ  凹部
１１３    レバー部材
１１３ａ  枢支軸
１１３ｂ  突出片
１１４    回転体
１１４ａ  周面
１１４ｂ  反射部
１１４ｃ  非反射部
２００    加湿部
２０１    トレイ
２０２    加湿フィルタ
【手続補正９】
【補正対象書類名】図面
【補正対象項目名】図３
【補正方法】変更
【補正の内容】
【図３】
2018179469.tif 000018
【手続補正１０】
【補正対象書類名】図面
【補正対象項目名】図１１
【補正方法】変更
【補正の内容】
【図１１】
2018179469.tif 000019
【国際調査報告】
2018179469.tif 000020
2018179469.tif 000021
2018179469.tif 000022
2018179469.tif 000023
2018179469.tif 000024
2018179469.tif 000025
2018179469.tif 000026
2018179469.tif 000027
2018179469.tif 000028